(57)【要約】【課題】  無線による通信経路を有するＩＣカードあるいは携帯電話に対するスキミングの防止方法を確立することにより、スキミングと総称される情報の盗用や不正利用などの社会的問題を生み出す誘因を排除すること、ひいてはＩＣカードやそれに類した携帯電話等の電子通信機器の広く健全な利用の推進に資することである。【解決手段】  本発明は、被保護カード１１を遮蔽するように配置され、少なくとも１面に印刷表示が施された薄膜状電磁波反射体２２を含む薄膜積層体２３から成るカード重畳型スキミング防止具２１から構成される。このほか、保護対象とするカードあるいは携帯電話の外形や大きさ、使用状況等に合わせてカード重畳型、カード収納型あるいは携帯電話収納スキミング防止具の中から適合するスキミング防止具を適切に選択することによりスキミング防止具として広く有効に利用することができる。【選択図】図２
2006053761.tif 000002
【特許請求の範囲】
【請求項１】
被保護カードを遮蔽するように配置され、少なくとも１面側に印刷表示が施された薄膜要素が被着された薄膜状電磁波反射体を含む薄膜積層体から成るカード重畳型スキミング防止具。
【請求項２】
薄膜状電磁波反射体は、アルミニウム箔から成ることを特徴とする請求項１記載のカード重畳型スキミング防止具。
【請求項３】
アルミニウム箔の厚さは、１μｍ以上であることを特徴とする請求項１又は２記載のカード重畳型スキミング防止具。
【請求項４】
被保護カードを被覆するように配置され、少なくとも１面に印刷表示が施された薄膜状電磁波反射体を含む薄膜積層体から成るカード収納型スキミング防止具。
【請求項５】
薄膜状電磁波反射体は、アルミニウム箔から成ることを特徴とする請求項４記載のカード収納型スキミング防止具。
【請求項６】
アルミニウム箔の厚さは、１μｍ以上であることを特徴とする請求項４又は５記載のカード収納型スキミング防止具。
【請求項７】
被保護携帯電話を被覆するように配置され、薄膜状電磁波反射体を含む薄膜積層体から成る携帯電話収納型スキミング防止具。
【請求項８】
薄膜状電磁波反射体は、アルミニウム箔から成ることを特徴とする請求項７記載の携帯電話収納型スキミング防止具。
【請求項９】
アルミニウム箔の厚さは、１μｍ以上であることを特徴とする請求項７又は８記載の携帯電話収納型スキミング防止具。
【請求項１０】
薄膜積層体の構成を調節することによりそれ自身に適切な機械的強度ならびに弾力性と柔軟性を付与することを特徴とする請求項１ないし９記載のスキミング防止具。
【発明の詳細な説明】
【技術分野】
【０００１】
本発明は、カードあるいは携帯電話のスキミングに対する防止具に関する。
【背景技術】
【０００２】
近時、インターネットの急速な普及や電子商取引の拡大などに代表されるＩＴ革命が世
界的規模で加速する中、半導体技術の長足の進歩にも後押しされてＩＣカードは携帯電話
とともに日常生活において身近な存在として認知されるようになり、例えば、社員証、各
種会員カード、商店街ポイントカード、保険医療カード、など実際に多くの分野で利用さ
れている。同時に、ＩＣカードならではの特長を生かしたさまざまな新たな応用へのニー
ズが高まっている。
【０００３】
特に主流となりつつある無線通信機能を有するＩＣカードは、その情報の書き込みおよび読み出しが無線通信によりこれらの目的に使用される装置と非接触の状態にて行われる点で従来の接触式のＩＣカードより以上の利用範囲拡大が期待される。
【０００４】
このような無線通信機能を有するＩＣカードは、その書き込みおよび読み出し装置との
間における情報の交換が非接触方式により行われることから、接触方式とは異なり、情報
の利用がこれらの装置においてＩＣカードとの位置関係等に関する特段の精密な調整の必
要がなく、簡便に、容易に、手軽に、迅速にしかも低コストで行われるという利点を持つ。
さらに半導体、ソフトウェア、材料等のＩＣカードに関わる技術の進歩もあいまって、Ｉ
Ｃカードの無線通信能力、中でも通信可能距離が約１ｍ程度まで飛躍的に伸長しており、
近い将来、数十メートル程度まで拡大する可能性の示唆もある。このようなかなり大きな空間的自由度を周辺との通信上で許容するＩＣカードは逆に情報のセキュリティの面で著しく脆弱である。その結果、スキミングと称される情報の盗用や不正利用などの社会的問題を生み出す誘因となっており、現に大きなスキミング犯罪が発生している。
【０００５】
他方、既に成熟した市場を形成するほどに普及が進んでいる携帯電話は、新たな機能を
付与した次の世代の機種が次々と市場に投入されている。例えば、非接触方式のＩＣカードと同様の使用法で同等の機能を携帯電話により実現する方法が実用化しつつある。このような観点から、携帯電話にはＩＣカードと同様に情報のセキュリティが不可欠である。
【０００６】
図１に例示するように、スキミングには、ＩＣカードＰあるいは携帯電話が本来の正当な情報交換を行うべき対象機器Ｏとの間の通信経路にスキミングを実行するスキミングデバイスＳから何らかの手段により侵入する行為を伴っている。１２は、被保護情報収納部、１３は、被保護情報発信アンテナである。このような通信経路への侵入を無効にするためにスキミング装置に対してカードデータのダミー信号を過剰に送出する装置及び方法が、特開２００３−２２３６２０において、提案されている。他方、スキミング装置の不正な取り付けを検出してその動作を停止させることによるスキミング防止方法が、特開２００４−５４６７０において提案されている。
【特許文献１】特開２００３−２２３６２０
【特許文献２】特開２００４−５４６７０
【発明の開示】
【発明が解決しようとする課題】
【０００７】
スキミングを防止する方法は次の二種類の方法に大別される。一つの方法は、スキミン
グデバイスあるいはその侵入経路を無効にする方法であり、他の一つの方法は、スキミン
グのターゲットをスキミングから保護する方法である。ここで、上記の特許文献１と特許
文献２はいずれも、前者の方法による提案に関するものである。これらに例示される方法
は、有線による多くの場合がそうであるように通信経路が空間的に制約されており、スキ
ミングデバイスの設置場所と侵入経路等が比較的容易に探知できるような場合には、有効に適用し得る可能性がある。
【０００８】
これに対して、無線による通信経路への侵入に関しては、その空間上の自由度が有線の場合に比較してはるかに大きくなるため、スキミングデバイスを探知してその侵入を阻止し無効化する方策をとることがきわめて困難である。その結果、周囲からのスキミングが行われる危険性が格段に高まる。このように、本質的に無線による通信経路を有するＩＣカードあるいは携帯電話に対するスキミングの防止策は、従来の方法だけでは不十分であり、不適切であった。
【０００９】
本発明は、上記従来の課題に鑑みてなされたものであり、その目的は、本質的に無線に
よる通信経路を有するＩＣカードあるいは携帯電話に対するスキミングの防止方法を確立
することにより、スキミングと称されるような情報の盗用や不正利用などの社会的問題
を生み出す誘因を排除すること、ひいてはＩＣカードやそれに類した携帯電話等の電子通
信機器の広く健全な利用の推進に資することである。
【課題を解決するための手段】
【００１０】
上記目的を達成するために、本発明は、被保護カード１１を遮蔽するように配置され、少なくとも１面側に印刷表示が施された薄膜要素が被着された薄膜状電磁波反射体３２２を含む薄膜積層体３１から成るカード重畳型スキミング防止具１０．．．，１００．．．から構成される。
【００１１】
その際、カード重畳型スキミング防止具１０．．．，１００．．．においては、薄膜状電磁波反射体３２２はアルミニウム箔から成るようにするとよい。
【００１２】
また、カード重畳型スキミング防止具においては、薄膜状電磁波反射体３２２を構成するアルミニウム箔の厚さは、１μｍ以上であること、好ましくは５μｍ以上であることとしてもよい。
【００１３】
上記の発明をより具体的に敷衍するならば、以下のとおりである。本発明は、被保護カード４２、４４を遮蔽するようにカード重畳型スキミング防止具４１、４３、４５から構成される。ここで、これらのカード重畳型スキミング防止具は、薄膜積層体３１を被保護カード４２、４４を十分に遮蔽できるように適切な形状と大きさに加工することにより構成される。
【００１４】
他方、本発明は、カード重畳型スキミング防止具４１、４３、４５に代えて、被保護カ
ード５２、５４、５６を被覆するようにそれぞれにカード収納型スキミング防止具５１、５３、５５から構成してもよい。ここで、これらのカード収納型スキミング防止具は、薄
膜積層体３１を被保護カード５２、５４、５６を十分に被覆できるように適切な形状と大
きさに加工することにより構成される。
【００１５】
その際、カード収納型スキミング防止具５１、５３、５５においては、薄膜状電磁波反
射体３２２はアルミニウム箔から成るようにするとよい。
【００１６】
また、カード収納型スキミング防止具５１、５３、５５においては、薄膜状電磁波反射
体３２２を構成するアルミニウム箔の厚さは、１μｍ以上であること、好ましくは５μｍ以上であることとしてもよい。
【００１７】
他方、上記目的を達成するために、本発明は、被保護カードの代わりに被保護携帯電話
を被覆するように配置され、薄膜状電磁波反射体３２２を含む薄膜積層体３１から成り、
カード収納型スキミング防止具５１、５３、５５に代わる携帯電話収納型スキミング防止
具８４、９４から構成してもよい。ここで、携帯電話収納型スキミング防止具８４、９４
は、被保護カード５２、５４、５６の代わりにそれぞれ携帯電話８１、９１を収納できる
ようにその外形に沿う適切な形状を持つものへ薄膜積層体３１を材料として加工された薄
膜積層体内張り８３、薄膜積層体袋状物９３から構成される。
【００１８】
その際、携帯電話収納型スキミング防止具８４、９４においては、薄膜状電磁波反射体
３２２はアルミニウム箔から成るようにするとよい。
【００１９】
また、携帯電話収納型スキミング防止具８４、９４においては、薄膜状電磁波反射体３
２２を構成するアルミニウム箔の厚さは、１μｍ以上であること、好ましくは５μｍ以上であることとしてもよい。
【００２０】
さらに、本発明において、薄膜積層体３１は薄膜状電磁波反射体３２２を含む複数の薄膜３２から構成されるが、これらの薄膜の数、積層順位、それぞれの材料や厚さ、等の薄膜積層体３１の構成に関する条件を調節することにより薄膜積層体３１の機械的強度、弾性、柔軟性、硬度、表面性状、耐薬品性、重量、などの物理化学的性質ならびに風合い、
美観、などの官能的性質、などを多様な応用の目的とニーズに応じて変えることが可能で
ある。例えば、カード重畳型スキミング防止具４１、４３、４５とカード収納型スキミン
グ防止具５１、５３、５５への応用においては、薄膜積層体３１は、被保護カード４２、
４５、５２、５４、５６に密着するように重ね合わせて使用されることからハンドリング
の利便性や安全性等の面から被保護カードと同等の物理化学的性質と官能的性質、などを
兼ね備えたものが好ましい。携帯電話収納型スキミング防止具８４、９４に関しては、携
帯電話が約数百ＣＣ程度の容積を持つ立体の物体であるので、カード収納型スキミング防
止具４１、４３、４５、５１、５３、５５とは異なり、薄膜積層体３１を材料とする代わ
りに携帯電話収納ケースを他の材料により製作した上でこれに薄膜積層体３１による内張
りを施す構成とするのが好ましい。あるいは、このような内張りの代わりにこれに相当す
る中子のケースとして薄膜積層体３１の材料による収納ケースを装着してもよい。布状の
薄膜積層体９３により袋状の携帯電話収納袋９２を構成するようにしても同一の用途に供
することが可能である。
【発明の効果】
【００２１】
本発明のスキミング防止具は、被保護カードを遮蔽するように配置され、少なくとも１
面側に印刷表示が施された薄膜要素が被着された薄膜状電磁波反射体を含む薄膜積層体から成るカード重畳型スキミング防止具の構成とすることにより確実にスキミングを防止し得る。
【００２２】
カード重畳型スキミング防止具において、薄膜状電磁波反射体は、アルミニウム箔から
成るようにすることにより被保護カードを標的として周辺から送出された電磁波を確実に
反射させてその侵入を完全に防止し得る。
【００２３】
カード重畳型スキミング防止具において、アルミニウム箔の厚さは、１μｍ以上であること、好ましくは５μｍ以上である構成とすることにより、アルミニウム箔の表面において衝突する電磁波を完全に反射させてその透過を完全に阻止し得る。
【００２４】
本発明のスキミング防止具は、被保護カードを被覆するように配置され、少なくとも１
面に印刷表示が施された薄膜状電磁波反射体を含む薄膜積層体から成るカード収納型スキ
ミング防止具の構成とすることにより確実にスキミングを防止し得る。
【００２５】
カード収納型スキミング防止具において、薄膜状電磁波反射体は、アルミニウム箔から
成るようにすることにより被保護カードを標的として周辺から送出された電磁波を確実に
反射させてその侵入を完全に防止し得る。
【００２６】
カード収納型スキミング防止具において、アルミニウム箔の厚さは、１μｍ以上であること、好ましくは５ｍμ以上である構成とすることにより、アルミニウム箔の表面において衝突する電磁波を完全に反射させてその透過を完全に阻止し得る。
【００２７】
本発明のスキミング防止具は、被携帯電話を被覆するように配置され、薄膜状電磁波反
射体を含む薄膜積層体から成る携帯電話収納型スキミング防止具の構成とすることにより確実にスキミングを防止し得る。
【００２８】
携帯電話収納型スキミング防止具において、薄膜状電磁波反射体は、アルミニウム箔か
ら成るようにすることにより被保護カードを標的として周辺から送出された電磁波を確実
に反射させてその侵入を完全に防止し得る。
【００２９】
携帯電話収納型スキミング防止具において、アルミニウム箔の厚さは、１μ以上である
こと、好ましくは５μｍ以上である構成とすることにより、アルミニウム箔の表面において衝突する電磁波を完全に反射させてその透過を完全に阻止し得る。
【００３０】
本発明において、薄膜積層体は薄膜状電磁反射体を含む複数の薄膜から構成されるが、
これらの薄膜の数、積層順位、それぞれの材料や厚さ、等の薄膜積層体の構成に関する条
件を調節することにより薄膜積層体の機械的強度、弾性、柔軟性、硬度、表面性状、耐薬
品性、重量、などの物理化学的性質ならびに風合い、美観、などの官能的性質、などを応
用の目的に応じて変えることが可能であることが確認されている。例えば、カード重畳型
スキミング防止具とカード収納型スキミング防止具への応用においては、薄膜積層体は、
被保護カードに密着するように重ね合わせて使用されることからハンドリングの利便性や
安全性等の面から被保護カードと同等の物理化学的性質と官能的性質、などを兼ね備える
ことにより好ましいものとし得る。携帯電話収納型スキミング防止具に関しては、携帯電話が約数百ＣＣ程度の容積を持つ立体の物体であるので、カード収納型スキミング防止具とは異なり、該薄膜積層体を材料とする代わりに携帯電話収納ケースを他の材料により製作した上でこれに該薄膜積層体による内張りを施すか、またはインナーケースを装着する構成とすれば好ましいものとし得ることが確かめられた。布状の薄膜積層体により袋状の携帯電話収納袋を構成しても同じ用途に供することが可能となることが判明した。
【発明を実施するための最良の形態】
【００３１】
以下、添付図面を参照しつつ本発明の好適な形態について説明する。図２は、本発明の
第１実施形態に係るスキミング防止具１０を構成する薄膜状電磁波反射体３２２を含む薄膜積層体３１によるスキミング防止の構成を被保護カード１１、スキミング装置Ｓ、本来の正当な通信対象０との位置関係とともに、スキミングのターゲットをスキミングから保護する態様を被保護物がＩＣカードの場合を例にとって示したものである。この第１実施形態のスキミング防止具１０は、各種の防止具のうちで基本的な構成を示している。ここで、被保護情報収納部１２を有する被保護カード１１に対してスキミング装置Ｓから発射された無線通信による電磁波をそれが被保護カード１１に到達する前に遮蔽するようにスキミング防止具１０が配置されて使用されている。
【００３２】
スキミングには、ＩＣカードあるいは携帯電話が本来の正当な情報交換を行うべき対象
機器Ｏとの間の通信経路にスキミングを実行するスキミングデバイスＳから何らかの手段
により侵入する行為を伴っている。図２に示されている本実施形態は、無線通信経路への
侵入によりＩＣカードに対するスキミングを実行する典型的な例であるが、このような場
合にはあらかじめスキミング装置の位置や侵入経路等の探知は原理上きわめて困難である
ので、スキミング防止の方策としては、スキミング装置に対する防止方法の代わりに被保
護カードに対して物理的に電磁波から保護する防止方法をとる方策がより確実で効果的と
なり得る可能性が高い。本発明は、ＩＣカードあるいは携帯電話等の各種電子通信機器に
対して、それぞれの形状や大きさ、利用の形態等を考慮しつつ、薄膜状電磁波反射体３２２を含む薄膜積層体３１より成るカード重畳型スキミング防止具１０を含めて各種の適切なスキミング防止具を提供するものである。
【００３３】
図３は、本発明の第１実施形態に係る薄膜状電磁波反射体３２２を含む薄膜積層体３１の基本的な構成を５つの合成樹脂製薄膜３２の薄膜要素を含む場合を例にとり示したものであり、第１実施形態のスキミング防止具１０は、１枚の薄板状カードから構成される。薄膜積層体３１は、溶着用保護膜３２１をベース薄膜としてこれに薄膜状電磁波反射体３２２を溶着、固定したものに強度保持用保護膜を兼用した薄膜（薄膜要素）３２３〜３２５を積層することにより構成されている。このように、薄膜積層体３１は薄膜状電磁反射体３２２を含む３種類から１０種類程度の複数の薄膜から構成されるが、これらの薄膜の数、積層順位、それぞれの材料や厚さ、等の薄膜積層体の構成に関する条件を調節することにより薄膜積層体の機械的強度、弾性、柔軟性、硬度、表面性状、耐薬品性、重量、などの物理化学的性質ならびに風合い、美観、などの官能的性質、などを多様な応用の目的とニーズに応じて的確に変えることが可能である。ここで、薄膜積層体３１を構成する薄膜の数とそれぞれの薄膜の厚さを大きくすることにより、薄膜積層体３１ひいてはスキミング防止具の機械的強度と弾性を増大させることができる。
【００３４】
本実施形態において、薄膜状電磁波反射体３２２は、スキミング装置ＳからＩＣカード等の被保護カード１１に向けて発射された電磁波をそれが被保護カードに到達する前に完全に反射させることにより電磁波の透過を阻止する機能を有することが必要とされる。したがって、一般的な電磁気的な条件からは良好な電気伝導性を有する金属類がこの目的には適合するが、中でもアルミニウムが上記の機能面では優れている。さらに、電磁波の伝播特性上からその透過を完全に阻止し得るためには原子レベルで配列欠損の少ない稠密な構造の物質が好ましいと考えられる。事実、材料探索の結果、アルミニウム塊から圧延により製造されるアルミニウム箔がもっとも好適であることが判明した。原理的に原子あるいは粒子単位での堆積に伴って薄膜の形成が進行するスパッタリングや真空蒸着法などの薄膜形成法から得られたアルミニウム薄膜は一定の割合で原子欠陥あるいはピンホールを伴い易くなる傾向があり、完全な電磁波反射体としては不適である。したがって、上記の目的に対してはアルミニウム薄膜が薄くなるほどアルミニウム箔が性能上有利となる。アルミニウム箔は、食品、飲料品、医薬品、化学工業製品、電気・電子製品、等の広い分野において電気伝導性、熱伝導性、水蒸気バリア性、ガスバリア性、遮光性、シール性、引裂性、加工性、印刷性などの多くの面ですぐれた包装材、電子材料の１つであり、該スキミング防止具の電磁は半車体用薄膜として有効かつ実用し得る。
【００３５】
本実施形態において、薄膜状電磁波反射体３２２を構成するアルミニウム箔にはその所期の電磁波反射性能を発揮するためにある一定の厚さ以上のものが必要とされる。約５μ程度以上のアルミニウム箔において顕著な電磁波反射の性能が認められることからスキミング防止具への適用が可能である。アルミニウム箔の厚さは、約５μ程度から約１００μ程度を好適に利用することができる。
【００３６】
本実施形態において、アルミニウム箔の少なくとも１面側には、広告・広報あるいは販売促進、等の目的のための印刷表示や着色を薄膜要素３２に自由に施すことができる。薄膜要素３２は、印刷インク、顔料等との親和性が良好であり、よって、印刷性や着色性に優れる。
【００３７】
本実施形態において、薄膜積層体３１を構成する薄膜に含まれる溶着用保護膜３２１お
よび強度保持用保護膜兼用の薄膜３２３〜３２５としては、ポリエステル系樹脂、ポリエチレン系樹脂、ポリプロピレン系樹脂、等の樹脂を好適に使用することができる。溶着用保護膜３２１は、それを構成する膜に含まれる溶融・接着層により薄膜状電磁波反射体３２２を溶着・固定するとともに保護する機能を持つ。ここで、溶着用保護膜３２１および強度保持用保護膜兼用の薄膜３２３〜３２５は、それぞれの厚さを０．１μｍ〜５００μｍとして構成するとよい。その厚さが比較的厚い場合、例えば１００μｍ〜５００μｍ程度の厚さの場合には、該溶着用保護膜の機械的強度、弾性、表面の硬さなどが強く付与される結果、樹脂製のフィルム的な性質が顕在化する。これに対して、その厚さが比較的薄い場合、例えば０．１μｍ〜１０μｍ程度の厚さの場合には、該溶着用保護膜の機械的強度、弾性、表面の硬さなどが減じて付与される結果、逆に樹脂製の布あるいは薄膜のような風合いの性質が支配的となって表れる。
【００３８】
本実施形態において、薄膜積層体３１を構成する薄膜に含まれる強度保持用保護膜３２
３ないし３２５としては、ナイロン系樹脂、ポリエチレンテレフタレート系樹脂、ポリ塩
化ビニール系樹脂、ポリウレタン系樹脂、等から成る薄膜を好適に使用することができる。強度保持用保護膜３２３〜３２５は、同じく薄膜積層体３１を構成する薄膜の溶着用保護膜３２１を裏面に被着した薄膜状反射体３２２に積層してこれらの薄膜を配置することにより、薄膜積層体３１の機械的強度、弾性、柔軟性、硬度、などの物理化学的性質ならびに風合い、美観、などの官能的性質、などを応用の目的に応じて的確に変えることが可能である。ここで、強度保持用保護膜３２３ないし３２５は、いずれも厚さを０．１μｍ〜５００μｍ程度として構成すればよい。その厚さが比較的厚い場合、例えば１００μｍ〜５００μｍ程度の厚さの場合には、該強度保持用保護膜の機械的強度、弾性、表面の硬さなどが強く付与される結果、樹脂製のフィルム的な性質が顕在化する。これに対して、その厚さが比較的薄い場合、例えば０．１μｍ〜１０μｍ程度の厚さの場合には、該強度保持用保護膜の機械的強度、弾性、表面の硬さなどが減じて付与される結果、逆に樹脂製の布あるいは薄膜のような風合いの性質が支配的となって表れる。薄膜状電磁波反射体３２２を内側にし、この表面に薄膜要素３２を積層被着した薄膜積層体３１の積層構成は、上記した例に限定されない。例えばベースの薄膜を薄膜状電磁波反射体３２２の両面に被着させ、さらに両面に対称に同様の合成樹脂薄膜をラミネート加工してもよい。本実施形態では、例えば以下のような積層で構成されている。薄膜積層体積層構成：ナイロン１５μｍ／印刷／アンカーコート／ポリエチレンフィルム２０μｍ／アルミニウム箔７μｍ／アンカーコート／ポリエチレンフィルム２０μｍ／補強用ポリエチレンフィルム（リニアローデン）６０μｍ。本実施形態では、薄膜状電磁波反射体３２２としてのアルミニウム箔は７μｍであり、薄膜要素全体の膜厚は１１５μｍで形成されている。また、他の薄膜積層体積層構成として以下のものが例示される。：ナイロン４０μｍ／印刷／アンカーコート／ポリエチレンフィルム２０μｍ／アルミニウム箔７μｍ／アンカーコート／ポリエチレンフィルム２０μｍ／補強用ポリエチレンフィルム５０μｍ。本実施形態では、薄膜状電磁波反射体３２２としてのアルミニウム箔は７μｍであり、薄膜要素全体の膜厚は１３０μｍで形成されている。
【００３９】
図４は、第１実施形態のスキミング防止１０をＩＣカードの無線送信スキミング防止に適用した例を示すもので、本実施形態のカード重畳型スキミング防止具を薄膜積層体により構成したものを財布内に収納させる使用方法の例を示している。被保護カード１１に１枚のカード重畳型スキミング防止具１０を重ねるように配置しつつ、例えば財布４６などの収納ケースに収納する。このように、被保護カード１１に単にカード重畳型スキミング防止具１０を重ねることによってもスキミング防止を図ることが可能であることが確認されている。これを確実に有効に行うためには被保護カード１１の発信面に対してスキミング防止具１０を重ねて配置することが必要である。他方、鎖線示のように、被保護カード１１に対してこれを２枚のカード重畳型スキミング防止具１０，１０により挟み込むように重ねて配置すれば、被保護カードの発信面の如何を問わずより確実にスキミング防止の機能を完全に達成し得ること、したがってこのようなスキミング防止具と重畳した上でＩＣカードを財布に収納すれば、セキュリティ上安全であることが明らかにされている。
【００４０】
ここで、１枚あるいは２枚のカード重畳型スキミング防止具を使用する場合のいずれにおいても、薄膜積層体を構成する各種薄膜としては、薄膜状電磁波反射体として厚さが約５μｍ〜１，０００μｍ程度のアルミニウム箔を含み、薄膜要素全体では厚さが約１００μｍ〜５００μｍ程度に設定される。薄膜要素は、ポリエチレン樹脂、ポリエステル樹脂、ポリプロピレン樹脂のいずれかから成る薄膜が使用され、これによって、スキミングを完全に防止し得ることが確認されている。
【００４１】
図５は、スキミング防止具をＩＣカードのスキミング防止に適用した第２の実施形態に係るスキミング防止具の例を示しており、この第２実施形態では、薄膜積層体を用いてこれをカード収納ケース形として構成したスキミング防止具の構成であり、代表的な実施例として開口部の構造が異なる３種類のカード収納型スキミング防止具を薄膜積層体により構成したものを財布における使用方法の例とともに示している。被保護カードにスキミング防止具を重ね合わせる作業を確実化するとともにその煩わしさを解消するために、重ね合わせ方式の代わりに収納方式としている。
【００４２】
この実施形態では、薄膜状電磁波反射体３２２を片面あるいは対向面となる２面に配置させ、薄膜積層体３１として構成する際の薄膜要素３２を拡大させて収納用ケースとして構成している。以下の例では、すべて片面のみに反射体３２２を配置させているが、対向両面に同反射体３２２を埋め込み薄膜積層させてもよい。図５−１の例では、断面Ｕ字状のカード収納型スキミング防止具５１の下端部のみを接合して上部と両側部の３辺の周端部において被保護カード１１の出し入れが可能となるようにしている。図５−２の例では、カード収納型スキミング防止具５３の２辺の上部と一つの側部周端部を接合して２辺の周端部において被保護カード１１の出し入れが可能となるようにしてもよい。さらに、図５−３では、カード収納型スキミング防止具５５の３辺の周端部を接合して上部に１箇所だけの開口部を形成して、この開口部において被保護カード１１の出し入れが可能となるようにしている。これによって、スキミング防止の機能を完全に達成でき、このようなスキミング防止具に収納した上でＩＣカードを図５−４のような財布に収納すれば、セキュリティ上安全である。
【００４３】
ここで、これらの３種類のカード収納型スキミング防止具のいずれを使用する場合においても、薄膜積層体は、薄膜状電磁波反射体として厚さが約５μｍ〜１，０００μｍ程度のアルミニウム箔を含み、溶着用あるいは強度保持用保護膜全体としては厚さが約１００μｍ〜５００μｍ程度のポリエチレン樹脂、ポリエステル樹脂、ポリプロピレン樹脂の薄膜を積層形成したものを使用すれば、スキミングを完全に防止し得ることが確認されている。もし溶着用保護膜としてのポリエチレン樹脂、ポリエステル樹脂、ポリプロピレン樹脂のいずれかから成る薄膜と、これらの薄膜の厚さを補完するように強度保持用薄膜としてナイロンから成る薄膜を使用するようにすれば、これらのカード収納型スキミング防止具にナイロン固有の柔軟性と表面の軟らかさ、などに近い風合いを付与することも可能である。
【００４４】
図６は、本発明をＩＣカードに応用した代表的な実施例の一つとして第１実施形態の１０と同様のカード収納型スキミング防止具６４を被保護カード６１の収納先である財布６２の内部に薄膜積層体内張り６３を施すことにより構成したものを例示している。この場合には、財布６２の内部に施された薄膜積層体内張り６３に含まれる薄膜状電磁波反射体が財布の外部から到来する電磁波を完全に反射する機能のおかげで、被保護カードを単にこのような財布に収納するだけでスキミングを防止し得ることが実証されている。
【００４５】
ここで、薄膜積層体を構成する各種薄膜としては、薄膜状電磁波反射体として厚さが約
５μｍ〜１，０００μｍ程度のアルミニウム箔を含み、溶着用保護膜としては厚さが約０．１μｍ〜１０μｍ程度のポリエチレン樹脂、ポリエステル樹脂、ポリプロピレン樹脂のいずれかから成る薄膜のほか強度保持用薄膜として厚さが約１００μｍ〜５００μｍナイロンから成る薄膜を使用することにより、財布６２の内部に好適に薄膜積層体内張り６３を形成することができる。
【００４６】
図７は、本発明をＩＣカードに応用した代表的な実施例の一つとして第１実施形態の１０と同様のカード収納型スキミング防止具７４を被保護カード７１の収納先であるキャリングバッグ７２の内部に薄膜積層体内張り７３を施すことにより構成したものを例示している。この場合には、キャリングバッグ７２の内部に施された薄膜積層体内張り７３に含まれる薄膜状電磁波反射体がキャリングバッグ７２の外部から到来する電磁波を完全に反射する機能のおかげで、被保護カード７１を単にこのようなキャリングバッグ７２に収納するだけでスキミングを防止し得ることが実証されている。
【００４７】
ここで、薄膜積層体を構成する各種薄膜としては、薄膜状電磁波反射体として厚さが約
５μｍ〜１，０００μｍ程度のアルミニウム箔を含み、溶着用保護膜としては厚さが約０．１μｍ〜１０μｍ程度のポリエチレン樹脂、ポリエステル樹脂、ポリプロピレン樹脂のいずれかから成る薄膜のほか強度保持用薄膜として厚さが約１００μｍ〜５００μｍナイロンから成る薄膜を使用することにより、キャリングバッグ７２の内部に好適に薄膜積層体内張り７３を形成することができた。
【００４８】
図８は、本発明の第３実施形態に係るスキミング防止具を示しており、この実施形態では、携帯電話収納型スキミング防止具８４を被保護携帯電話８１の収納先である携帯電話ケース８２の内部に薄膜積層体内張り８３を施すことにより構成したものを例示している。この携帯電話収納型スキミング防止具８４は携帯電話収納ケースの内張り全体に袋状に縫い込まれている。この場合には、携帯電話ケース８２の内部に施された薄膜積層体内張り８３に含まれる薄膜状電磁波反射体が携帯電話ケースの外部から到来する電磁波を完全に反射する機能のおかげで、被保護携帯電話を単にこのような携帯電話ケースに収納するだけでスキミングを防止し得ることが実証されている。
【００４９】
ここで、薄膜積層体を構成する各種薄膜としては、薄膜状電磁波反射体として厚さが約
５μｍ〜１，０００μｍ程度のアルミニウム箔を含み、溶着用保護膜としては厚さが約０．１μｍ〜１０μｍ程度のポリエチレン樹脂、ポリエステル樹脂、ポリプロピレン樹脂のいずれかから成る薄膜のほか強度保持用薄膜として厚さが約１００μｍ〜５００μｍナイロンから成る薄膜を使用することにより、携帯電話ケース８２の内部に好適に薄膜積層体内張り８３を形成することができる。
【００５０】
図８は、本発明の第３実施形態に係るスキミング防止具を示しており、この実施形態では、携帯電話収納型スキミング防止具８４を被保護携帯電話８１の収納先である携帯電話ケース８２の内部に薄膜積層体内張り８３を施すことにより構成したものを例示している。この携帯電話収納型スキミング防止具８４は携帯電話収納ケースの内張り全体に袋状に縫い込まれている。図９は、本発明の第４実施形態に係るスキミング防止具を示しており、この実施形態では、携帯電話収納型スキミング防止具９４を被保護携帯電話９１の収納先である携帯電話収納袋９２を薄膜積層体９３を材料として製作することにより構成したものを例示している。この場合には、携帯電話収納袋９２を構成する薄膜積層体９３に含まれる薄膜状電磁波反射体が携帯電話収納袋の外部から到来する電磁波を完全に反射する機能のおかげで、被保護携帯電話を単にこのような携帯電話収納袋に収納するだけでスキミングを防止し得ることが実証されている。
【００５１】
ここで、薄膜積層体を構成する各種薄膜としては、薄膜状電磁波反射体として厚さが約
５μｍ〜１，０００μｍ程度のアルミニウム箔を含み、溶着用保護膜としては厚さが約０．１μｍ〜１０μｍ程度のポリエチレン樹脂、ポリエステル樹脂、ポリプロピレン樹脂のいずれかから成る薄膜のほか強度保持用薄膜として厚さが約１００μｍ〜５００μｍナイロンから成る薄膜を使用することにより、携帯電話収納袋９２に好適に薄膜積層体袋状物９３を形成して携帯電話収納型スキミング防止具９４として供することができた。
【産業上の利用可能性】
【００５２】
本発明は、本質的に無線による通信経路を有するＩＣカードあるいは携帯電話に対する情報の盗用や不正利用などを含むスキミング防止具として有効に利用することができる。本スキミング防止具の種類は、保護対象とするカードあるいは携帯電話の外形や大きさ、使用状況等に合わせてカード重畳型、カード収納型あるいは携帯電話収納スキミング防止具の中から有効なスキミング防止具を適切に選択することにより多岐にわたり広く適用し得る。
【図面の簡単な説明】
【００５３】
【図１】ＩＣカードを例にとったスキミング実行状態の説明図である。
【図２】本発明の第１実施形態のカード重畳型スキミング防止具及びそれを用いたスキミング防止方法の説明図である。
【図３】薄膜型積層体の構成の斜視説明図である。
【図４】カード重畳型スキミング防止具を用いて財布内のＩＣカードのスキミング防止例を説明する説明図である。
【図５−１】本発明の第２実施形態に係るスキミング防止具の３部開放型斜視説明図である。
【図５−２】本発明の第２実施形態に係るスキミング防止具の２部開放型斜視説明図である。
【図５−３】本発明の第２実施形態に係るスキミング防止具の１部開放型斜視説明図である。
【図５−４】本発明の第２実施形態に係るスキミング防止具の収納例の財布の斜視説明図である。
【図６】財布におけるカード収納型スキミング防止具のＩＣカードへの応用例説明図である。
【図７】バッグにおけるカード収納型スキミング防止具のＩＣカードへの応用例説明図である。
【図８】携帯電話ケースにおける携帯電話収納型スキミング防止具の携帯電話への応用例説明図である。
【図９】携帯電話収納袋における携帯電話収納型スキミング防止具の携帯電話への応用例説明図である。
【符号の説明】
【００５４】
１０  カード重畳型スキミング防止具
１１  被保護カード
１２  被保護情報収納部
１３  被保護情報発信アンテナ
３２２  薄膜状電磁波反射体
３１  薄膜積層体
３２  薄膜
３２１  溶着用保護膜
３２２  薄膜状電磁波反射体
３２３  溶着用保護膜
３２４  強度保持用保護膜
３２５  強度保持用保護膜
４６  財布
５１  カード収納型スキミング防止具
５２  被保護カード
５３  カード収納型スキミング防止具
５４  被保護カード
５５  カード収納型スキミング防止具
５６  被保護カード
６１  被保護カード
６２  財布
６３  薄膜積層体内張り
６４  カード収納型スキミング防止具
７１  被保護カード
７２  バッグ
７３  薄膜積層体内張り
７４  カード収納型スキミング防止具
８１  携帯電話
８２  携帯電話ケース
８３  薄膜積層体内張り
８４  携帯電話収納型スキミング防止具
９１  携帯電話
９２  携帯電話収納袋
９３  薄膜積層体袋状物
９４  携帯電話収納型スキミング防止具
【図１】
2006053761.tif 000003
【図２】
2006053761.tif 000004
【図３】
2006053761.tif 000005
【図４】
2006053761.tif 000006
【図５−１】
2006053761.tif 000007
【図５−２】
2006053761.tif 000008
【図５−３】
2006053761.tif 000009
【図５−４】
2006053761.tif 000010
【図６】
2006053761.tif 000011
【図７】
2006053761.tif 000012
【図８】
2006053761.tif 000013
【図９】
2006053761.tif 000014